(57)【要約】【課題】  デジタルイメージでサムネイルを生成する方法及び装置を提供する。【解決手段】  原本イメージを部分的に復号化して第１サムネイルを生成し、生成された第１サムネイルを部分的に復号化して、アプリケーションで要請したサイズの第２サムネイルを生成した後に出力するサムネイル生成方法である。これにより、デジタルイメージを全画面サイズにディスプレイする時、原本イメージを復号化せずに保存されたサムネイルを利用するので、大容量で高画質のイメージも速くディスプレイ可能であり、多様なサイズのサムネイルをディスプレイする時、小さなサイズのサムネイルを大きなサイズに拡大させることではなく、全画面サイズに近いサムネイルを縮少させることであるので、画質低下を減らすことができる。【選択図】      図４
2007082217.tif 000002
【特許請求の範囲】
【請求項１】
(ａ)原本イメージの第１サムネイルを生成する段階と、
(ｂ)前記生成された第１サムネイルを符号化する段階と、
(ｃ)前記符号化された第１サムネイルを任意のアプリケーションの要請によって適応的に復号化して、前記原本イメージの第２サムネイルを生成する段階とを含むことを特徴とするサムネイル生成方法。
【請求項２】
前記(ａ)段階は、
(a１)ディスプレイ装置の画面サイズに基づいて、前記原本イメージから復号化する部分のサイズを決定する段階と、
(a２)前記決定によって前記原本イメージを適応的に復号化して、前記第１サムネイルを生成する段階とを含むことを特徴とする請求項１に記載のサムネイル生成方法。
【請求項３】
前記(a１)段階は、前記原本イメージを部分的に復号化して生成できるイメージサイズのうち、前記ディスプレイ装置の画面サイズに最も近い値として決定することを特徴とする請求項２に記載のサムネイル生成方法。
【請求項４】
前記(a１)段階は、前記原本イメージのサイズが前記ディスプレイ装置の画面サイズより小さいか等しい場合、前記原本イメージ全体を復号化するように決定することを特徴とする請求項２に記載のサムネイル生成方法。
【請求項５】
前記(ｂ)段階は、前記第１サムネイルを１／２０〜１／３０の容量となるようにＪＰＥＧフォーマットに符号化することを特徴とする請求項１に記載のサムネイル生成方法。
【請求項６】
前記(ｃ)段階は、
(ｃ１)前記アプリケーションからイメージ要請を受信する段階と、
(ｃ２)前記要請によって、前記符号化された第１サムネイルで復号化する部分のサイズを決定する段階と、
(ｃ３)前記(ｃ２)段階での決定によって、前記符号化された第１サムネイルを適応的に復号化して、前記第２サムネイルを生成する段階とを含むことを特徴とする請求項１に記載のサムネイル生成方法。
【請求項７】
前記(ｃ２)段階は、前記符号化された第１サムネイルを部分的に復号化して生成できるサムネイルのサイズのうち、前記要請されたイメージサイズに最も近いサイズとして決定することを特徴とする請求項６に記載のサムネイル生成方法。
【請求項８】
前記(ｃ２)段階は、前記符号化された第１サムネイルを部分的に復号化して生成できる任意のサイズより前記第１サムネイルのサイズが前記要請されたイメージサイズに近い場合、前記符号化された第１サムネイル全体を復号化するように決定することを特徴とする請求項６に記載のサムネイル生成方法。
【請求項９】
前記第２サムネイルをスケーリングする段階をさらに含むことを特徴とする請求項６に記載のサムネイル生成方法。
【請求項１０】
請求項１ないし請求項９のうちいずれか一項に記載の方法をコンピュータで実行させるためのプログラムを記録したコンピュータで読み取り可能な記録媒体。
【請求項１１】
原本イメージに対する第１サムネイルを生成するために、前記原本イメージで復号化する部分のサイズを決定し、任意のアプリケーションからのイメージ要請によって、前記原本イメージに対する第２サムネイルを生成するために、符号化された第１サムネイルで復号化する部分のサイズを決定する決定部と、
前記原本イメージを前記決定部の決定によって復号化して前記第１サムネイルを生成し、符号化された第１サムネイルを前記決定部の決定によって復号化して、前記原本イメージに対する第２サムネイルを生成する復号化部と、
前記復号化部で生成された前記第１サムネイルを符号化する符号化部と、を備えることを特徴とするサムネイル生成装置。
【請求項１２】
前記決定部は、前記原本イメージで復号化する部分のサイズを決定するに当って、前記原本イメージを部分的に復号化して生成できるイメージサイズのうち、ディスプレイ装置の画面サイズに最も近い値として決定することを特徴とする請求項１１に記載のサムネイル生成装置。
【請求項１３】
前記決定部は、前記原本イメージで復号化する部分のサイズを決定するに当って、前記原本イメージのサイズが前記ディスプレイ装置の画面サイズより小さいか等しい場合、前記原本イメージ全体を復号化するように決定することを特徴とする請求項１１に記載のサムネイル生成装置。
【請求項１４】
前記決定部は、前記符号化された第１サムネイルで復号化する部分のサイズを決定するに当って、前記符号化された第１サムネイルを部分的に復号化して生成できるイメージサイズのうち、前記要請されたイメージサイズに最も近いサイズとして決定することを特徴とする請求項１１に記載のサムネイル生成装置。
【請求項１５】
前記決定部は、前記符号化された第１サムネイルで復号化する部分のサイズを決定するに当って、前記符号化された第１サムネイルを部分的に復号化して生成できる任意のサイズより前記第１サムネイルのサイズが前記要請されたイメージサイズに近い場合、前記符号化された第１サムネイル全体を復号化するように決定することを特徴とする請求項１１に記載のサムネイル生成装置。
【請求項１６】
前記出力部は、前記決定部の決定によって、前記第１サムネイルまたは前記第２サムネイルをスケーリングするスケーリング部をさらに備えることを特徴とする請求項１１に記載のサムネイル生成装置。
【請求項１７】
前記符号化部は、前記第１サムネイルを１／２０〜１／３０の容量となるようにＪＰＥＧフォーマットに符号化することを特徴とする請求項１１に記載のサムネイル生成装置。
【発明の詳細な説明】
【技術分野】
【０００１】
本発明は、デジタルイメージのサムネイルを生成する方法及び装置に係り、さらに詳細には、デジタルイメージのブラウジングのためにアプリケーションで要請するサイズのサムネイルを高画質及び高速に生成する方法及び装置に関する。
【背景技術】
【０００２】
最近、４００〜８００万画素の高解像度ＤＣＳ  Ｐｈｏｔｏが広く使われている状況で、ＰＶＲ(パーソナルビデオレコーダ)、ホームＡＶセンタ、ＰＭＰ(ポータブルマルチメディアプレーヤ)など、大容量の保存装置を有する機器がフォトアルバムの機能を行うようになった。
【０００３】
しかし、このような機器の場合、保存容量は増加したとしても、大容量で高画質のデジタルイメージを処理するにはＣＰＵ  ｐｏｗｅｒが低くて、限定されたＣＰＵ  ｐｏｗｅｒを最大限効率的に使用するために、大容量で高画質のデジタルイメージが保存装置に保存される時、各イメージに対するサムネイルを生成して保存し、ブラウジング時には原本イメージでない保存されたサムネイルをディスプレイし、全画面表示モードなどでは、原本イメージをディスプレイする方法が一般的に使われる。
【０００４】
前記従来の方法において、サムネイルのサイズは、ブラウジング時に必要となる最小のサイズに生成される。保存フォーマットは、ディスプレイ時の復号化時間を減らすためにＲＧＢ型式に保存される。
【０００５】
ところが、各ディスプレイ装置ごとに画面のサイズが異なるにもかかわらず、従来の方法のようにイメージを全体表示するために原本イメージを利用すれば、原本イメージを画面にすべて表示できないにもかかわらず、高画質で大容量の原本イメージを復号化しなければならないため、ディスプレイにかかる時間が長くなる。
【０００６】
例えば、８００万画素のイメージが３４００ｘ２３００ｐｉｘｅｌ程度のサイズであるのに比べて、一般的にＴＶに使われる解像度は、９６０ｘ５４０ｐｉｘｅｌ程度で著しく小さくて、８００万画素のイメージをＴＶで再生する場合、原本イメージを復号化してディスプレイすることは非効率的である。
【０００７】
また、アプリケーション内でイメージをブラウジングする時、多様なサイズのサムネイルが必要でありうるが、保存された小さなサイズのサムネイルをさらに大きなサイズのサムネイルに拡大する方法を選択する場合、画質が低下しかつディスプレイ速度も遅いという問題がある。
【０００８】
このように、従来のサムネイル生成方法では、多様なサイズのサムネイルが要求されるアプリケーションにおいて、低いＣＰＵパワーで高画質で大容量のイメージを短時間にブラウジングし、ディスプレイすることが非効率的でかつ困難であるという問題があった。
【特許文献１】日本特許公開２００３−１８９２２０号公報
【特許文献２】韓国特許公開２００３−０９１１３４号公報
【発明の開示】
【発明が解決しようとする課題】
【０００９】
本発明は、低いＣＰＵパワーを考慮した効率的なブラウジングのために、最適のサムネイルを生成し、それから所望のサイズのイメージを抽出してディスプレイする方法及び装置を提供するところにその目的がある。
【課題を解決するための手段】
【００１０】
このような目的を達成するための本発明は、サムネイル生成方法において、(ａ)原本イメージの第１サムネイルを生成する段階と、(ｂ)前記生成された第１サムネイルを符号化する段階と、(ｃ)前記符号化された第１サムネイルを任意のアプリケーションの要請によって適応的に復号化して、前記原本イメージの第２サムネイルを生成する段階とを含む。
【００１１】
ここで、前記(ａ)段階は、(a１)ディスプレイ装置の画面サイズに基づいて、前記原本イメージから復号化する部分のサイズを決定する段階と、(a２)前記決定によって前記原本イメージを適応的に復号化して、前記第１サムネイルを生成する段階とを含み、前記(a１)段階は、前記原本イメージを部分的に復号化して生成できるイメージサイズのうち、前記ディスプレイ装置の画面サイズに最も近い値として決定し、前記原本イメージのサイズが前記ディスプレイ装置の画面サイズより小さいか等しい場合、前記原本イメージ全体を復号化するように決定することが望ましい。
【００１２】
前記(ｃ)段階は、(ｃ１)前記アプリケーションからイメージ要請を受信する段階と、(ｃ２)前記要請によって、前記符号化された第１サムネイルで復号化する部分のサイズを決定する段階と、(ｃ３)前記(ｃ２)段階での決定によって、前記符号化された第１サムネイルを適応的に復号化する段階とを含み、ここで、前記(ｃ２)段階は、前記符号化された第１サムネイルを部分的に復号化して生成できるサムネイルのサイズのうち、前記要請されたイメージサイズに最も近いサイズとして決定し、前記符号化された第１サムネイルを部分的に復号化して生成できる任意のサイズより前記第１サムネイルのサイズが前記要請されたイメージサイズに近い場合、前記符号化された第１サムネイル全体を復号化するように決定することが望ましい。また、前記第２サムネイルを出力する前にスケーリングすることが望ましい。
【００１３】
また、本発明は、サムネイル生成方法をコンピュータで実行させるためのプログラムを記録したコンピュータで読み取り可能な記録媒体を提供する。
【００１４】
また、本発明は、サムネイル生成装置において、ディスプレイ装置の画面サイズによって、原本イメージから復号化する部分のサイズを決定して、前記原本イメージに対する第１サムネイルのサイズを決定し、アプリケーションのイメージ要請によって、符号化されたサムネイルで復号化する部分のサイズを決定する決定部と、前記原本イメージを前記決定部の決定によって復号化して前記第１サムネイルを生成し、符号化された第１サムネイルを前記決定部の決定によって復号化して、前記原本イメージに対する第２サムネイルを生成する復号化部とを備える。
【発明の効果】
【００１５】
本発明によれば、デジタルイメージを全画面サイズにディスプレイする時、原本イメージを復号化せず、保存されたサムネイルを利用するため、大容量で高画質のイメージも速くディスプレイでき、多様なサイズのサムネイルをディスプレイする時、小さなサイズのサムネイルを大きなサイズに拡大させるものではなく、全画面サイズに近いサムネイルを縮少させるので、画質低下が少なく、短時間に多様なサイズにイメージの検索と再生を可能にして、大容量の保存空間を有するが、ＣＰＵパワーの低い機器に適用してユーザーの便宜性を増大させることができる。
【発明を実施するための最良の形態】
【００１６】
以下、図面を参照して本発明をさらに詳細に説明する。
【００１７】
図１は、ＪＰＥＧイメージを復号化する一般的な過程を示す順序図である。図１を参照してＪＰＥＧフォーマットのイメージ復号化過程を簡略に説明すれば、イメージのサイズによって複数のＭＣＵ(Ｍｉｎｉｍｕｍ  Ｃｏｄｅｄ  Ｕｎｉｔ)が存在するが、ＭＣＵを選択して(１１)、各ＭＣＵに対してＪＰＥＧ符号化時に行なわれたハフマン符号化を逆に行い(１２)、やはり符号化段階で行なわれたＤＣＴ過程を逆に行った後(１３)、符号化段階で色差信号であるＩ及びＱ値のうち一部色差信号値を捨てることによって行われたｄｏｗｎ  ｓａｍｐｌｉｎｇの逆過程であるｕｐ  ｓａｍｐｌｉｎｇを行う(１４)。ｃｏｌｏｒ  ｃｏｎｖｅｒｓｉｏｎ段階(１５)では、符号化過程でＹＩＱ値に変換されたことを再びＲＧＢに変換する。
【００１８】
ここで、Ｉｎｖｅｒｓｅ  ＤＣＴ(Ｄｉｓｃｒｅｔｅ  Ｃｏｓｉｎｅ  Ｔｒａｎｓｆｏｒｍ)段階とｃｏｌｏｒ  ｃｏｎｖｅｒｓｉｏｎ段階とが含まれるが、それぞれの段階は、イメージ全体の復号化に対して各３０％ずつ総６０％のＣＰＵ時間を消費する。したがって、Ｉｎｖｅｒｓｅ  ＤＣＴとｃｏｌｏｒ  ｃｏｎｖｅｒｓｉｏｎ段階とでかかる時間は、イメージのピクセル数に比例するので、入力されるイメージのピクセル数を減らせば、イメージ復号化にかかる時間が大きく短縮されうる。
【００１９】
本発明で提案する部分復号化(Ｐａｒｔｉａｌ  ｄｅｃｏｄｉｎｇ）は、このような点に着眼してＩｎｖｅｒｓｅ  ＤＣＴとｃｏｌｏｒ  ｃｏｎｖｅｒｓｉｏｎ段階との入力ｐｉｘｅｌ数を減らして、原本イメージからサムネイルを抽出し、サムネイルからアプリケーションで望むサイズのイメージを抽出することで、原本イメージ全体を復号化することより総復号化時間を著しく減らす復号化方法である。
【００２０】
一般的に、Ｉｎｖｅｒｓｅ  ＤＣＴ段階の入力値は、ＪＰＥＧ符号化方法によってイメージ全体を８ｘ８ブロックに分けた後、それぞれのブロックをＤＣＴした結果であり、その結果は、図３に示すように、一つのＤＣ成分とブロックの残りを占める複数のＡＣ成分を有する。この時、ＤＣ成分が各ブロックの主要成分を有するため、各ブロックのＤＣ成分のみを利用してＩｎｖｅｒｓｅ  ＤＣＴを行う方式で全ブロックに対してＩｎｖｅｒｓｅ  ＤＣＴが行われれば、各ブロックの平均値成分からなるイメージが抽出される。このようにＤＣ成分のみを使用して抽出されたイメージは、原本イメージサイズの１／８倍となり、同様にＤＣ成分を含むｎｘｎ個のＤＣ成分とＡＣ成分とを使用してＩｎｖｅｒｓｅ  ＤＣＴを行う場合、原本イメージサイズのＮ／８倍のイメージが抽出されうる。
【００２１】
一例として、図２には、原本イメージの２／８倍のイメージを抽出するために一つのＤＣ成分及び三つのＡＣ成分を選択した場合が示されている。
【００２２】
図４は、本発明の一実施形態によって原本イメージからサムネイルを生成する過程を簡略に示す順序図である。
【００２３】
原本イメージが入力されれば、まず原本イメージをディスプレイ装置の画面サイズによって部分復号化し(４１０)、部分復号化されたイメージで原本イメージに対する第１サムネイルを生成して保存するが(４２０)、Ｌｏｗ  Ｑｕａｌｉｔｙ  ＪＰＥＧに圧縮して保存することが望ましい。これについては後述する。ディスプレイ装置のアプリケーションで特定サイズのサムネイルイメージを要請すれば(４３０)、原本イメージではない第１サムネイルからアプリケーションが要請したサイズのイメージを抽出して第２サムネイルを生成し(４４０)、第２サムネイルをスケーリングした後(４５０)にディスプレイする。第２サムネイル生成過程でも部分復号化が使われうるが、これについての詳細な説明は後述する。
【００２４】
図５は、本発明の一実施形態によって第１サムネイルを生成する過程を示す順序図である。
【００２５】
本実施形態では、原本イメージのサイズがディスプレイ装置の画面サイズの最大８倍である場合を考慮する。
【００２６】
ディスプレイ装置の画面サイズに関する情報及び原本デジタルイメージが入力されれば(５１０)、入力された情報に基づいて原本イメージで復号化する部分のサイズ、すなわち第１サムネイルのサイズを決定する(５２０)。これは、前述したように、例えば、８００万画素のイメージ解像度を基準とした場合、一般的にＴＶに使われる全画面解像度が８００万画素のイメージ１／４程度のサイズであるため、全画面表示モードでも原本イメージを復号化せずに原本イメージの第１サムネイルをディスプレイして、ディスプレイ速度を下げるためである。また、アプリケーションで第１サムネイルより小さなサイズのイメージを要請する場合には、第１サムネイルを部分復号化するか、縮少して第２サムネイルを生成した後にディスプレイすることで、画質及び速度の向上を期待する。
【００２７】
したがって、第１サムネイルのサイズは、ディスプレイ装置の画面サイズに最も近接したサイズとして決定することが望ましい。段階５２０でガウス演算を行うに当って、０．５を加えたのは、復号化する部分のサイズを定める時にディスプレイ装置の画面サイズに最も近接したＮ値を得るためである。Ｎ値によって、ディスプレイ装置の画面サイズに最も近接したサイズの第１サムネイルが生成されるように、復号化する部分のサイズを決定し、原本イメージのＮ／８ほどのサイズに対する部分復号化を行う(５５０)。例えば、原本イメージサイズが６００万画素イメージ解像度である３００８ｘ２０００ピクセルであり、画面サイズが９６０ｘ５４０ｐｉｘｅｌである場合、Ｎ値は２となり、２／８倍の部分復号化で７５２ｘ５００ｐｉｘｅｌの第１サムネイルが抽出される。一方、原本イメージのサイズがディスプレイ装置の画面サイズより小さいか等しい場合、すなわちＮ値が８より大きい場合には、部分復号化を行わず、原本イメージ全体を復号化する(５４０)。また、部分復号化によって生成できるいかなるイメージより原本イメージ自体のサイズがさらにディスプレイ装置の画面サイズに近い場合にも、同様に部分復号化を行わず、原本イメージ全体を復号化する(５４０)。
【００２８】
図５に示された実施形態では、原本イメージの１／８〜７／８倍のサイズを有する第１サムネイルを生成する場合を説明したが、１／１６、１／３２倍など、第１サムネイルも入力された原本イメージのＤＣ成分をブロック単位でサンプリングして得られる。
【００２９】
このように生成された第１サムネイルは、元来イメージの１／２０〜１／３０倍容量程度で圧縮するＬｏｗ  Ｑｕａｌｉｔｙ  ＪＰＥＧフォーマットに符号化されて保存される(５６０)。一般的なサムネイル保存方式であるＲＧＢフォーマットの場合、圧縮されない特性上、ディスク空間の占有が大きく、イメージのディスプレイ時にファイル読み取りに対するオーバーヘッドが大きく、ＲＧＢフォーマットを１／６程度容量に圧縮するｈｉｇｈ  Ｑｕａｌｉｔｙ  ＪＰＥＧの場合は、画質は保証されるが、サムネイルのサイズが小さくなるほど圧縮率が著しく低下する問題点があって、本実施形態では、Ｌｏｗ  Ｑｕａｌｉｔｙ  ＪＰＥＧフォーマットを採択した。Ｌｏｗ  Ｑｕａｌｉｔｙ  ＪＰＥＧフォーマットは、圧縮率も前記に言及した他のフォーマットに比べて優れており、画質も肉眼にはＨｉｇｈ  Ｑｕａｌｉｔｙ  ＪＰＥＧフォーマットに比べてわずかに異なるので、高速ディスプレイ及び多様なサイズのディスプレイにさらに適している。
【００３０】
図６は、本発明の一実施形態によって第１サムネイルから第２サムネイルを生成する過程を示す順序図である。図５での過程によって第１サムネイルが符号化されて保存された後、フォトアルバムなどのアプリケーションでブラウジングなどのために特定サイズのイメージを要請すれば(６１０)、保存された第１サムネイルのサイズとアプリケーションが要請したサムネイルのサイズとに基づいて、第１サムネイルで復号化する部分のサイズ、すなわち第２サムネイルのサイズを決定する(６２０、６３０)。アプリケーションで要請するイメージサイズは、多様なプレビューモード用のサイズであるか、または全画面サイズでありうる。この段階で、復号化する部分のサイズは、アプリケーション要請したイメージサイズと最も近い値として決定することが望ましい。すなわち、アプリケーションで要請したイメージサイズに最も近いサイズほど第１サムネイルを部分復号化し(６５０)、もし第１サムネイルのサイズがアプリケーションで要請したイメージサイズより小さいか等しい場合、または部分復号化によって生成されうるいかなるイメージよりも第１サムネイル自体のサイズが要請されたイメージサイズに近ければ、第１サムネイル全体を復号化して第２サムネイルを生成する(６４０)。一方、第１サムネイル全体を復号化するか、または部分復号化した結果として生成された第２サムネイルも、アプリケーションで要請したサイズと正確に一致しない場合があるので、アプリケーションで要請したサイズにさらに近くなるように、第２サムネイルをスケーリングする段階(６６０)を経て出力することが望ましい(６７０)。
【００３１】
図７は、本発明の一実施形態によるサムネイル生成装置の構成図である。図７に示すように、本発明の一実施形態によるサムネイル生成装置は、イメージ入力部７１０、決定部７２０、保存部７３０、符号化部７４０、復号化部７５０、及びスケーリング部７６０を備える。図面において、点線は、サムネイルを生成する過程での情報の流れを示し、実線は、サムネイルをディスプレイする過程での情報の流れを示す。
【００３２】
以下では、第１サムネイル及び第２サムネイル生成過程を順次に説明し、それによって各構成要素の機能を説明する。
【００３３】
まず、第１サムネイル生成過程において、イメージ入力部７１０は原本イメージを、決定部７２０はディスプレイ装置の画面サイズに関する情報を入力される。決定部７２０は、ディスプレイ装置の画面サイズに関する情報に基づいて、第１サムネイルのサイズ、すなわち原本イメージで復号化する部分のサイズを決定し、復号化部７５０は、決定部７２０の決定によって原本イメージの全体または部分を復号化して第１サムネイルを生成する。
【００３４】
符号化部７４０では、復号化部７５０で生成された第１サムネイルをＬｏｗ  Ｑｕａｌｉｔｙ  ＪＰＥＧに符号化し、保存部７３０は、符号化された第１サムネイルを保存することによってサムネイル生成過程は完了する。
【００３５】
次に、第２サムネイル生成過程を参照して各構成要素の機能を説明する。
【００３６】
決定部７２０がアプリケーションから特定サイズの特定イメージの要請を受ければ、要請されたサイズを参照して、保存部７３０に保存された第１サムネイルで復号化する部分のサイズを決定する。復号化部７５０は、保存部７３０から抽出されてイメージ入力部７１０を通じて入力された第１サムネイルを決定部７２０の決定によって復号化して、第２サムネイルを生成するが、前記のように、ここでの復号化は、第１サムネイルの全体を復号化することであるか、または部分復号化することである。復号化部７５０で生成された第２サムネイルは、出力される前にスケーリング部７６０でもっと要請されたイメージサイズに接近するように、拡大または縮少されうる。
【００３７】
一方、前述した本発明の実施形態は、コンピュータで実行されうるプログラムで作成可能であり、コンピュータで読み取り可能な記録媒体を利用して前記プログラムを動作させる汎用のデジタルコンピュータで具現されうる。
【００３８】
前記コンピュータで読み取り可能な記録媒体は、磁気記録媒体（例えば、ＲＯＭ、フロッピー（登録商標）ディスク、ハードディスクなど）、光学的な読み取り媒体（例えば、ＣＤ−ＲＯＭ、ＤＶＤなど）及びキャリアウェーブ（例えば、インターネットを通じた伝送）のような記録媒体を含む。
【００３９】
以上、本発明についてその望ましい実施形態を中心に説明した。当業者は、本発明が本発明の本質的な特性から逸脱しない範囲で変形された形態で具現されうることを理解できるであろう。したがって、開示された実施形態は、限定的な観点ではなく、説明的な観点で考慮されなければならない。本発明の範囲は、前述した説明ではなく、特許請求の範囲に記載されており、それと同等な範囲内にあるあらゆる差異点は、本発明に含まれたものと解釈されなければならない。
【産業上の利用可能性】
【００４０】
本発明は、デジタルイメージのサムネイル生成関連の技術分野に好適に用いられる。
【図面の簡単な説明】
【００４１】
【図１】ＪＰＥＧイメージを復号化する過程を示す順序図である。
【図２】本発明の一実施形態によってＤＣＴ変換されたイメージから１／８倍の部分復号化のためにＤＣ成分を選択した場合を示す図である。
【図３】本発明の他の実施形態によってＤＣＴ変換されたイメージから２／８倍の部分復号化のためにＤＣ成分及びＡＣ成分を選択した場合を示す図である。
【図４】本発明の一実施形態によって原本イメージからサムネイルを生成する過程を簡略に示す順序図である。
【図５】本発明の一実施形態によって第１サムネイルを生成する過程を示す順序図である。
【図６】本発明の一実施形態によって第１サムネイルから第２サムネイルを生成する過程を示す順序図である。
【図７】本発明の一実施形態によるサムネイル生成装置の構成図である。
【符号の説明】
【００４２】
７１０  イメージ入力部
７２０  決定部
７３０  保存部
７４０  符号化部
７５０  復号化部
７６０  スケーリング部
【図１】
2007082217.tif 000003
【図２】
2007082217.tif 000004
【図３】
2007082217.tif 000005
【図４】
2007082217.tif 000006
【図５】
2007082217.tif 000007
【図６】
2007082217.tif 000008
【図７】
2007082217.tif 000009